【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
スパーを低減するための方法であって、
補正項を生成することと、
デジタルドメインにおいて前記補正項を伝送信号へ加算することと、
粗いデジタル／アナログ変換器を使用して、前記伝送信号を前記デジタルドメインからアナログドメインへ変換することと、
ベースバンドフィルタを使用して、前記伝送信号をフィルタリングすることと、ここにおいて、前記ベースバンドフィルタは、前記補正項の振幅を低減する、
前記低減された補正項を使用して、前記伝送信号内のスパーを低減することと、
を備える方法。
【請求項２】
前記スパーは、前記粗いデジタル／アナログ変換器のダイナミックレンジより低い振幅を有する、請求項１に記載の方法。
【請求項３】
局部発振器信号生成器を使用して、局部発振器信号を生成することと、
アップコンバータおよび前記局部発振器信号を使用して、前記伝送信号をアップコンバートすることと、
をさらに備え、
前記スパーは、前記アップコンバータによって前記伝送信号に導入される、
請求項１に記載の方法。
【請求項４】
ドライバ増幅器を使用して、前記伝送信号を増幅することをさらに備え、前記スパーは、前記ドライバ増幅器によって前記伝送信号に導入される、請求項１に記載の方法。
【請求項５】
前記補正項は、所望補正項振幅および所望補正項周波数を備える、請求項１に記載の方法。
【請求項６】
前記所望補正項周波数は、前記スパーの周波数に基づく、および／または
前記所望補正項振幅は、前記スパーの振幅に基づく、請求項５に記載の方法。
【請求項７】
前記所望補正項振幅は、帯域外輻射仕様に対応する所望出力対スパー振幅差分に基づく、および／または
前記所望補正項振幅は、無線通信のためのロングタームエボリューション規格に対応する所望出力対スパー振幅差分に基づく、請求項５に記載の方法。
【請求項８】
前記補正項の位相は、前記補正項が前記スパーの振幅を低減するように、前記スパーの位相からオフセットされる、請求項５に記載の方法。
【請求項９】
前記補正項の振幅は、前記伝送信号の振幅とほぼ同じである、および／または
前記スパーの周波数は、前記伝送信号の周波数を超える、および／または
周波数範囲にわたって複数のスパーを低減するために、前記周波数範囲にわたって複数の補正項を生成することをさらに備える、請求項１に記載の方法。
【請求項１０】
補正項を生成することは、スパー周波数およびスパー振幅を識別することを備える、請求項１に記載の方法。
【請求項１１】
補正項を生成することは、前記粗いデジタル／アナログ変換器のダイナミックレンジを決定することをさらに備え、および、望ましくは、
ここにおいて、補正項を生成することは、前記ベースバンドフィルタの周波数応答を得ることをさらに備え、および、望ましくは、
ここにおいて、補正項を生成することは、所望出力対スパー振幅差分を決定することをさらに備え、および、望ましくは、
ここにおいて、前記補正項を生成することは、所望補正項周波数および所望補正項振幅を得ることをさらに備える、請求項１０に記載の方法。
【請求項１２】
前記所望補正項周波数は、前記スパー周波数に基づく、または
前記所望補正項振幅は、前記スパー振幅、前記粗いデジタル／アナログ変換器の前記ダイナミックレンジ、前記ベースバンドフィルタの前記周波数応答、および所望出力対スパー振幅差分に基づく、請求項１１に記載の方法。
【請求項１３】
前記補正項を生成することは、前記所望補正項周波数および前記所望補正項振幅を有する前記補正項を生成することをさらに備える、請求項１１に記載の方法。
【請求項１４】
スパーを低減するためのコンピュータプログラム製品であって、前記コンピュータプログラム製品は、命令を有する非一時的コンピュータ可読媒体を備え、前記命令は、
無線デバイスに、請求項１から請求項１３の何れかの方法を実行させるためのコード、
を備える、コンピュータプログラム製品。
【請求項１５】
スパーを低減するための装置であって、
補正項を生成するための手段と、
デジタルドメインにおいて前記補正項を伝送信号へ加算するための手段と、
粗いデジタル／アナログ変換器を使用して、前記伝送信号を前記デジタルドメインからアナログドメインへ変換するための手段と、
ベースバンドフィルタを使用して、前記伝送信号をフィルタリングするための手段と、ここにおいて、前記ベースバンドフィルタは、前記補正項の振幅を低減する、
前記低減された補正項を使用して、前記伝送信号内のスパーを低減するための手段と、
を備える装置。
【手続補正２】
【補正対象書類名】明細書
【補正対象項目名】００９５
【補正方法】変更
【補正の内容】
【００９５】
[00103]  特許請求の範囲が、上述された厳密な構成およびコンポーネントに限定されないことが理解されるべきである。様々な変形、変更、および、バリエーションが、本明細書で説明されたシステム、方法、および装置の、配置、作用、および詳細において、特許請求の範囲から逸脱することなく行われ得る。
以下に本願の出願当初の特許請求の範囲に記載された発明を付記する。
[Ｃ１]  スパーを低減するための装置であって、
粗いデジタル／アナログ変換器と
補正項を生成する補正項生成器と、ここにおいて、前記補正項は、前記粗いデジタル／アナログ変換器のダイナミックレンジ内の振幅を有する、
ベースバンドフィルタと
を備え、
前記補正項は、前記ベースバンドフィルタが前記補正項を伝送信号内のスパーのそれに近い振幅へ低減するように選択され、前記補正項は、前記スパーを低減するために使用される、
装置。
[Ｃ２]  前記スパーは、前記粗いデジタル／アナログ変換器の前記ダイナミックレンジより低い振幅を有する、Ｃ１に記載の装置。
[Ｃ３]  前記補正項を前記伝送信号へ加算するデジタル加算器をさらに備える、Ｃ１に記載の装置。
[Ｃ４]  局部発振器信号を生成する局部発振器信号生成器と、
アップコンバータと、ここにおいて、前記スパーは、前記アップコンバータによって前記伝送信号に導入される、
をさらに備える、Ｃ１に記載の装置。
[Ｃ５]  ドライバ増幅器と、ここにおいて、前記スパーは、前記ドライバ増幅器によって前記伝送信号に導入される、をさらに備える、Ｃ１に記載の装置。
[Ｃ６]  前記補正項は、所望補正項振幅および所望補正項周波数を備える、Ｃ１に記載の装置。
[Ｃ７]  前記所望補正項周波数は、前記スパーの周波数に基づく、Ｃ６に記載の装置。
[Ｃ８]  前記所望補正項振幅は、前記スパーの振幅に基づく、Ｃ６に記載の装置。
[Ｃ９]  前記所望補正項振幅は、帯域外輻射仕様に対応する所望出力対スパー振幅差分に基づく、Ｃ６に記載の装置。
[Ｃ１０]  前記所望補正項振幅は、無線通信のためのロングタームエボリューション規格に対応する所望出力対スパー振幅差分に基づく、Ｃ６に記載の装置。
[Ｃ１１]  前記補正項の位相は、前記補正項が前記スパーの振幅を低減するように、前記スパーの位相からオフセットされる、Ｃ６に記載の装置。
[Ｃ１２]  前記補正項の前記振幅は、前記伝送信号の振幅とほぼ同じである、Ｃ１に記載の装置。
[Ｃ１３]  前記伝送信号内の前記スパーの周波数は、前記伝送信号の周波数を超える、Ｃ１に記載の装置。
[Ｃ１４]  前記補正項生成器は、複数の周波数の範囲にわたって複数のスパーを低減するために、前記複数の周波数の範囲にわたって複数の補正項を生成する、Ｃ１に記載の装置。
[Ｃ１５]  スパーを低減するための方法であって、
補正項を生成することと、
デジタルドメインにおいて前記補正項を伝送信号へ加算することと、
粗いデジタル／アナログ変換器を使用して、前記伝送信号を前記デジタルドメインからアナログドメインへ変換することと、
ベースバンドフィルタを使用して、前記伝送信号をフィルタリングすることと、ここにおいて、前記ベースバンドフィルタは、前記補正項の振幅を低減する、
前記低減された補正項を使用して、前記伝送信号内のスパーを低減することと、
を備える方法。
[Ｃ１６]  前記スパーは、前記粗いデジタル／アナログ変換器のダイナミックレンジより低い振幅を有する、Ｃ１５に記載の方法。
[Ｃ１７]  局部発振器信号生成器を使用して、局部発振器信号を生成することと、
アップコンバータおよび前記局部発振器信号を使用して、前記伝送信号をアップコンバートすることと、
をさらに備え、
前記スパーは、前記アップコンバータによって前記伝送信号に導入される、
Ｃ１５に記載の方法。
[Ｃ１８]  ドライバ増幅器を使用して、前記伝送信号を増幅することをさらに備え、前記スパーは、前記ドライバ増幅器によって前記伝送信号に導入される、Ｃ１５に記載の方法。
[Ｃ１９]  前記補正項は、所望補正項振幅および所望補正項周波数を備える、Ｃ１５に記載の方法。
[Ｃ２０]  前記所望補正項周波数は、前記スパーの周波数に基づく、Ｃ１９に記載の方法。
[Ｃ２１]  前記所望補正項振幅は、前記スパーの振幅に基づく、Ｃ１９に記載の方法。
[Ｃ２２]  前記所望補正項振幅は、帯域外輻射仕様に対応する所望出力対スパー振幅差分に基づく、Ｃ１９に記載の方法。
[Ｃ２３]  前記所望補正項振幅は、無線通信のためのロングタームエボリューション規格に対応する所望出力対スパー振幅差分に基づく、Ｃ１９に記載の方法。
[Ｃ２４]  前記補正項の位相は、前記補正項が前記スパーの振幅を低減するように、前記スパーの位相からオフセットされる、Ｃ１９に記載の方法。
[Ｃ２５]  前記補正項の振幅は、前記伝送信号の振幅とほぼ同じである、Ｃ１５に記載の方法。
[Ｃ２６]  前記スパーの周波数は、前記伝送信号の周波数を超える、Ｃ１５に記載の方法。
[Ｃ２７]  周波数範囲にわたって複数のスパーを低減するために、前記周波数範囲にわたって複数の補正項を生成することをさらに備える、Ｃ１５に記載の方法。
[Ｃ２８]  補正項を生成することは、スパー周波数およびスパー振幅を識別することを備える、Ｃ１５に記載の方法。
[Ｃ２９]  補正項を生成することは、前記粗いデジタル／アナログ変換器のダイナミックレンジを決定することをさらに備える、Ｃ２８に記載の方法。
[Ｃ３０]  補正項を生成することは、前記ベースバンドフィルタの周波数応答を得ることをさらに備える、Ｃ２９に記載の方法。
[Ｃ３１]  補正項を生成することは、所望出力対スパー振幅差分を決定することをさらに備える、Ｃ３０に記載の方法。
[Ｃ３２]  前記補正項を生成することは、所望補正項周波数および所望補正項振幅を得ることをさらに備える、Ｃ３１に記載の方法。
[Ｃ３３]  前記所望補正項周波数は、前記スパー周波数に基づく、Ｃ３２に記載の方法。
[Ｃ３４]  前記所望補正項振幅は、前記スパー振幅、前記粗いデジタル／アナログ変換器の前記ダイナミックレンジ、前記ベースバンドフィルタの前記周波数応答、および所望出力対スパー振幅差分に基づく、Ｃ３２に記載の方法。
[Ｃ３５]  前記補正項を生成することは、前記所望補正項周波数および前記所望補正項振幅を有する前記補正項を生成することをさらに備える、Ｃ３２に記載の方法。
[Ｃ３６]  スパーを低減するためのコンピュータプログラム製品であって、前記コンピュータプログラム製品は、命令を有する非一時的コンピュータ可読媒体を備え、前記命令は、
無線デバイスに補正項を生成させるためのコードと、
前記無線デバイスに、デジタルドメインにおいて前記補正項を伝送信号へ加算させるためのコードと、
前記無線デバイスに、粗いデジタル／アナログ変換器を使用して、前記伝送信号を前記デジタルドメインからアナログドメインへ変換させるためのコードと、
前記無線デバイスに、ベースバンドフィルタを使用して、前記伝送信号をフィルタリングさせるためのコードと、ここにおいて、前記ベースバンドフィルタは、前記補正項の振幅を低減する、
前記無線デバイスに、前記低減された補正項を使用して、前記伝送信号内のスパーを低減させるためのコードと、
を備える、コンピュータプログラム製品。
[Ｃ３７]  前記スパーは、前記粗いデジタル／アナログ変換器のダイナミックレンジより低い振幅を有する、Ｃ３６に記載のコンピュータプログラム製品。
[Ｃ３８]  前記補正項は、所望補正項振幅および所望補正項周波数を備える、Ｃ３６に記載のコンピュータプログラム製品。
[Ｃ３９]  前記所望補正項周波数は、前記スパーの周波数に基づく、Ｃ３８に記載のコンピュータプログラム製品。
[Ｃ４０]  前記所望補正項振幅は、前記スパーの振幅に基づく、Ｃ３８に記載のコンピュータプログラム製品。
[Ｃ４１]  前記補正項の位相は、前記補正項が前記スパーの振幅を低減するように、前記スパーの位相からオフセットされる、Ｃ３８に記載のコンピュータプログラム製品。
[Ｃ４２]  スパーを低減するための装置であって、
補正項を生成するための手段と、
デジタルドメインにおいて前記補正項を伝送信号へ加算するための手段と、
粗いデジタル／アナログ変換器を使用して、前記伝送信号を前記デジタルドメインからアナログドメインへ変換するための手段と、
ベースバンドフィルタを使用して、前記伝送信号をフィルタリングするための手段と、ここにおいて、前記ベースバンドフィルタは、前記補正項の振幅を低減する、
前記低減された補正項を使用して、前記伝送信号内のスパーを低減するための手段と、
を備える装置。
[Ｃ４３]  前記スパーは、前記粗いデジタル／アナログ変換器のダイナミックレンジより低い振幅を有する、Ｃ４２に記載の装置。
[Ｃ４４]  前記補正項は、所望補正項振幅および所望補正項周波数を備える、Ｃ４２に記載の装置。
[Ｃ４５]  前記所望補正項周波数は、前記スパーの周波数に基づく、Ｃ４４に記載の装置。
[Ｃ４６]  前記所望補正項振幅は、前記スパーの振幅に基づく、Ｃ４４に記載の装置。
[Ｃ４７]  前記補正項の位相は、前記補正項が前記スパーの振幅を低減するように、前記スパーの位相からオフセットされる、Ｃ４４に記載の装置。